(57)【要約】【課題】洗車機の使用者が操作して所望の洗車モードに設定する操作パネルを用いて、操作ミスの発生率を抑え、使いやすい洗車機を提供する。【解決手段】洗車機ＣＡの使用者が操作して所望の洗車モードに設定する操作パネル７Ａを備え、設定された洗車モードに応じて、被洗浄車両と洗車機本体を前後方向に相対移動させながら、前記被洗浄車両の洗車を行う洗車機であって、使用者により選択操作される第１及び第２のスタート釦を備え、第１のスタート釦により領収書を発行して洗車開始を指示するもしくは、第２のスタート釦により領収書を発行せず洗車開始を指示する構成としたことを特徴とする洗車機ＷＡとした。【選択図】図１
2010132213.tif 000002
【特許請求の範囲】
【請求項１】
洗車機の使用者が操作して所望の洗車モードに設定する操作手段を備え、設定された洗車モードに応じて、被洗浄車両と洗車機本体を前後方向に相対移動させながら、前記被洗浄車両の洗車を行う洗車機であって、
前記操作手段に使用者により選択操作される第１及び第２のスタート釦を備え、
第１のスタート釦により領収書を発行して洗車開始を指示するもしくは、
第２のスタート釦により領収書を発行せず洗車開始を指示する構成としたことを特徴とする洗車機。
【請求項２】
前記スタート釦を押した際には、操作された前記スタート釦の全体又は一部の色彩が変化することを特徴とする請求項１に記載の洗車機。
【請求項３】
前記被洗浄車両の洗車を行う前に、前記操作手段で選択した前記スタート釦の内容を確認したことを特徴とする請求項２に記載の洗車機。
【請求項４】
前記操作手段には電子データの記録媒体の読取装置を備え、前記記録媒体からの電子データを用いて洗車料金を制御することを特徴とする請求項３に記載の洗車機。
【発明の詳細な説明】
【技術分野】
【０００１】
本発明は、たとえば給油所に設置され洗車に使用される洗車機に関し、特に、洗車モードを設定する操作手段を備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、液剤や洗浄水を噴霧しながらブラッシングして洗浄することや、洗浄後に風を吹き付けて乾燥することが行われている。
【０００３】
洗車の際に用いる液剤としては、各種のシャンプーやワックスやコート類が用いられており、被洗浄車両のタイプや表面塗層に適した各種液剤が提案されている。これらの各種液剤は、それぞれ専用の貯液タンクに貯留されており、タンク内に挿入されたチューブを介して、洗車工程の処理に応じて噴霧され消費されていく。また、複数の洗車モードから所望のモードを選択し、使用する液剤の種類を選択して所定の洗車モードに設定する操作手段として操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図６を用いて説明する。この洗車機ＷＡは、複数のブラシを備える洗浄部材と、ブロワと複数の送風ノズルを備える乾燥部材とを一体に装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴霧して、前記被洗浄車両ＣＡの洗車を行う。
【０００５】
例えば、洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル７もしくは洗車機本体１から離れた位置に設置するリモートパネル７Ａに、所望の洗車モードを設定し、スタート釦を操作して、洗車操作を開始する。
【０００６】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。
【０００７】
また、ブラッシングの際に使用する洗浄水や各種液剤を噴霧する各種ノズルや各種液剤を貯液する貯液タンクを備えている。各種液剤を貯液する複数の貯液タンクは、洗車機本体１に設けられるタンク収納部５０に収納されており、電磁式の開閉弁と副給水ホースを備える分配配管部５１を介して各ノズルに分配している。液剤を噴霧するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＡの駆動条件を設定し、設定された条件に基づいて洗車機ＷＡを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択釦や、ブラシの回転数を制御するブラシ回転スイッチや、スタート・ストップ釦などが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
上記した従来の洗車機ＷＡにおいては、一台の洗車機に一台の操作パネル７もしくはリモートパネル７Ａが配設された１：１構成とされていて、洗車の際には、車種に適応した洗車モードやユーザが所望する洗車モードに設定する必要がある。そのために、操作パネル７やリモートパネル７Ａに、ユーザ（使用者）もしくは洗車スタッフが所定の洗車モードを選択して設定している。
【００１２】
ここで、洗車機の操作部を構成する操作パネル７もしくはリモートパネル７Ａは、押釦とディジタル表示器等から構成されている。そしてこれらのパネルから車種の設定、装備品の設定、洗車コースを選択して洗車を実行している。
【００１３】
しかし、洗車機においても多機能化が進み、それにしたがって操作パネル７もしくはリモートパネル７Ａに基づく操作するスイッチが多くなり、操作が複雑になってきており、操作の簡単化が要望されている。そのためタッチパネルを用いて視覚的に操作できる装置が開示されている（例えば、特許文献１参照）。
【特許文献１】特開２００４−１４８８８２号公報（第６図）
【発明の開示】
【発明が解決しようとする課題】
【００１４】
しかし、従来の操作パネル７やリモートパネル７Ａでは領収書発行釦と洗車を実行する釦が別に表示されている。このため、領収書発行を望むユーザ（使用者）は、一つ余計な操作が必要となる。また上記の通り洗車機の多様化に伴い、操作が増え領収書発行釦を押し忘れる可能性がある。
【００１５】
また近年、セルフ型のガソリンスタンドや洗車場が増えている。そのため、操作に無駄がなく、操作ミスの発生率を抑え、使いやすい洗車機を提供することが好ましい。
【課題を解決するための手段】
【００１６】
上記目的を達成するために本発明は、洗車機の使用者が操作して所望の洗車モードに設定する操作手段を備え、設定された洗車モードに応じて、被洗浄車両と洗車機本体を前後方向に相対移動させながら、前記被洗浄車両の洗車を行う洗車機であって、使用者により選択操作される第１及び第２のスタート釦を備え、第１のスタート釦により領収書を発行して洗車開始を指示するもしくは、第２のスタート釦により領収書を発行せず洗車開始を指示する構成としたことを特徴とする。
【００１７】
この構成によると、被洗浄車両の使用者は洗車機に備えられた操作手段を操作する。前記操作手段には２種類のスタート釦があり、第１のスタート釦は領収書を発行して洗車開始を指示し、第２のスタート釦は領収書を発行せず洗車開始を指示する。１つのスタート釦に２つの機能を備えたため、領収書が必要な場合には領収書発行釦を再度押す必要がない。このため洗車の操作に無駄がなく、適宜操作パネルから選択でき、操作のミス発生率の抑え、使いやすい洗車機を提供することができる。
【００１８】
上記目的を達成するために本発明は、上記構成の洗車機において、前記スタート釦を押した際には、操作された前記スタート釦の全体又は一部の色彩が変化することを特徴とする請求項１に記載の洗車機。この構成によると、前記スタート釦を押した際には、操作における注目すべき箇所が明確になり、操作ミスの発生率を抑え、使いやすい洗車機を提供することができる。
【００１９】
上記目的を達成するために本発明は、上記構成の洗車機において、前記操作手段で選択した前記スタート釦の内容を確認した後に前記被洗浄車両の洗車を行うことを特徴とする。この構成によると、確実に確認することができ、操作ミスの発生率を抑え、使いやすい洗車機を提供することができる。
【００２０】
上記目的を達成するために本発明は、上記構成の洗車機において、前記操作手段には電子データの記録媒体の読取装置を備え、前記記録媒体からの電子データを用いて洗車料金を制御する。この構成によるとプリペイドカード等の記録媒体を用いて洗車すると洗車料金を制御することができる。例えばプリペイドカードの加算点数に応じて洗車料金を安くすることができる。そのため利便性の高い洗車機を提供することができる。
【発明の効果】
【００２１】
以上のように本発明によれば、洗車機の操作性を改善でき、操作ミスの発生率を抑え誰でも使いやすい洗車機を提供することができる。
【発明を実施するための最良の形態】
【００２２】
以下に本発明の実施形態を図面を参照して説明する。図１は本発明に係る洗車機が備えるタッチパネル型のリモートパネルの一例を示す正面図である。図２はリモートパネルの制御装置が備える各種機能を示す機能ブロック図である。図３はリモートパネルの設定操作の手順を示すフローチャートである。図４はリモートパネルの設定操作の画面を示す。図５は本発明に係る洗車機が備える押釦型のリモートパネルの一例を示す正面図である。図６は洗車機一台の全体構成例を示す側面図である。
【００２３】
図１に示すリモートパネル７Ａは、洗車機ＷＡの洗車モードを設定する装置であって、図６に示すように、洗車機ＷＡへの進入経路上に設置されている。そのために、該リモートパネル７Ａの正面に被洗浄車両ＣＡを停車して、洗車機ＷＡの洗車モードを設定することができる。
【００２４】
リモートパネル７Ａは、支柱７０にパネル本体７１を構成し、パネル本体７１の正面側には、返却レバー７２、コイン投入口７３、紙幣投入口７４を設けている。さらに、プリペイドカード等の電子データの記録媒体の読取装置としてのカード投入口７５とつり銭の返却口もしくは領収書発行部となる払い出し部７８が設けられている。
【００２５】
さらに、リモートパネル７Ａには、報知手段として音声出力を行うスピーカ８０が設けてられており、洗車モードの設定操作の内容や手順を案内する音声ガイド、もしくは、注意事項などの音声ガイドを出力可能としている。また、音声ガイドの出力を停止する停止釦７６と音声ガイドの音量を調整するボリューム調整釦７７が設けられている。さらに、リモートパネル７Ａ部に進入してくる被洗浄車両ＣＡを検知する反射型光電センサである車両検知センサ７９や表面にタッチパネルが配置された液晶パネルからなる表示部８１を備える。
【００２６】
図２は、リモートパネル７Ａが備える制御装置１０１を表す機能ブロック図である。制御装置１０１は洗車機全体を制御する制御部１０４とプリペイドカード等の電子データの記録媒体を用いた情報や洗車モードを予め記憶させておく記憶部１０２や領収書の発行の有無、新たな液剤および／または新たな洗車モードを選択できる選択部１０３を備える。
【００２７】
リモートパネル７Ａが備える制御装置１０１は、操作部１０７にて設定される各種液剤のタイプや洗車モード、領収書発行の有無などを、入出力部１０５を介して受け付ける。制御部１０４を介して、設定された洗車モードや領収書発行の有無などを報知手段８０に出力する。さらに洗車機を駆動する信号を洗車機駆動部１０６へ出力する。
【００２８】
次に図３に示すフローチャートを用いて、リモートパネルの設定操作の手順について説明する。
【００２９】
ステップＳ１では、被洗浄車両ＣＡがリモートパネル部に進入して停車する。すると車両検知センサが車体を検知して制御装置側に通信される。そして報知手段８０を介して「いらっしゃいませ」等のアナウンスが報知される。
【００３０】
ユーザ（使用者）は、コイン投入口７３、紙幣投入口７４、カード投入口７５に所定の金額やプリペイドカードを挿入すると図４(ａ)に示すようにタッチパネル８１に投入料金額が表示される。そしてスタート釦９１を押してその後の処理を開始する。ストップ釦９２を押せば操作が中止され、投入金額が返還される。
【００３１】
プリペイドカードを挿入した場合には記憶部１０２の情報に基づき、プリペイドカードに格納された電子データの履歴状況に応じて、洗車料金をコース割引等の適用により制御部１０４にて制御することができる。プリペイドカードの構成として、裏面にはデータ記録用の磁気トラックが形成され、またその表面には書換え可能な印字部が形成されている。磁気トラックには、金額データと有効期限データとを対応付けている。
【００３２】
ステップＳ２では、ユーザ（使用者）は自分の所望する液剤や洗車モードを選択して設定する。例えば、図４（ｂ）に示すように釦９３を用いて、ユーザ（使用者）が液剤や洗車モードを選択する。洗車モードの設定は、ユーザ（使用者）自身でも、洗車機を所有する管理者側のスタッフによっても行うことができる。スタッフが行う場合には、各洗車モードの特徴をユーザ（使用者）に説明しながら、被洗浄車両ＣＡに適した洗車モードを推奨し設定することができる。
【００３３】
ステップＳ３では、表示部８１に配置したタッチパネルから操作して被洗浄車両ＣＡが備える装備品を設定する。例えば、図４（ｂ）に示すように釦９４を用いて、ユーザ（使用者）が装備品を選択する。一例として、該当装備品なし釦、フロントガードあり釦、フェンダーポールあり釦、ドアミラーあり釦、リヤワイパーあり釦などが設けられている。
【００３４】
ステップＳ４では、表示部８１に配置したタッチパネルから操作し、図４（ｃ）に示すように「領収書発行して洗車をスタート」する第１のスタート釦９５又は「領収書発行しないで洗車をスタート」する第２のスタート釦９６のいずれかを選択する。領収書を発行して洗車をスタートする場合にはステップＳ５へ移行し、領収書を発行しないで洗車をスタートする場合にはステップＳ７へ移行する。
【００３５】
ここで図４（ｃ）に示すようにスタート釦の「発行して」や「発行しないで」という一部の文字に対してアンダーバーを加えてもよい。さらに点滅機能、文字の大きさやフォントの種類を変える等のように他の部分と差異が出るようにしてもよい。
【００３６】
また、他の文字と差異が出るようにスタート釦の全体又は一部の色彩が変化してもよい。このように１つの釦に２つの機能を備えることにより、領収書が必要な場合に領収書発行釦を別途押す必要がない。このため洗車の操作に無駄がなく、適宜リモートパネルから選択できる。またスタート釦の全体又は一部の色彩も変更すると、操作ミスの発生率を抑え、使いやすい洗車機を提供することができる。
【００３７】
ステップＳ５では、ステップＳ４の確認がＯＫか否かを判断する。ＯＫの場合にはステップＳ６へ移行する。ＯＫではない場合にはステップＳ４へ移行する。表示部８１の確認のみならず、スピーカ８０を介して音声出力しながら、これでよいかどうか確認するのが好ましい。
【００３８】
確認の一例として、「領収書を発行して洗車を開始しますが、これでよろしいでしょうか？」と音声出力することができる。このように洗車を実行する前に確認することで、操作ミスの発生率を抑え、使いやすい洗車機を提供することができる。
【００３９】
ステップＳ６では、払い出し部７８から精算内容の印字した領収書が発行される。また払い出し部７８と表示部８１の距離は他の操作部に比べ近接していることが好ましい。これにより、上記一連の操作から無駄が無く、そして領収書の取り忘れを防ぐことができる。
【００４０】
ステップＳ７では、領収書を発行しないで洗車をスタートしてもよいのか確認を行う。確認がＯＫの場合にはステップＳ８へ移行し、ＯＫではない場合にはステップＳ４へ移行する。表示部８１の確認のみならず、スピーカ８０を介して音声出力しながら、これでよいかどうか確認するのが好ましい。
【００４１】
確認の一例として、「領収書を発行しないで洗車を開始しますが、これでよろしいでしょうか？」と音声出力することができる。このように洗車を実行する前に確認することで、操作ミスの発生率を抑え、使いやすい洗車機を提供することができる。
【００４２】
ステップＳ８では、被洗浄車両ＣＡの洗車が洗車機ＷＡにより実行される。
【００４３】
ステップＳ９では、被洗浄車両ＣＡの洗車が終了する。洗車終了信号を制御部１０４へ出力して、今まで設定した洗車コースなどの情報を全てリセットして、終了する。
【００４４】
（他の実施形態）
本実施形態においてはタッチパネル型のリモートパネルであったがこれに限られる訳ではなく、図５に示すように釦型のリモートパネル７Ａであってもよい。ここで同一の機能については図１と同じ番号を付している。
【００４５】
当該釦型のリモートパネル７Ａも、支柱７０にパネル本体７１を備えた構成をしている。投入された金額を表示する金額表示部１１０、各種の洗車モードに対応する設定釦１１１、装備品設定釦１１２、領収書発行して洗車をスタートする第１のスタート釦８４ａ、領収書発行しないで洗車をスタートする第２のスタート釦８４ｂを備える。
【００４６】
上記の通り、本発明に係る洗車機は、被洗浄車両の使用者が操作して所望の洗車モードに設定するリモートパネルを備え、設定された洗車モードに応じて、被洗浄車両と洗車機本体を前後方向に相対移動させながら、前記被洗浄車両の洗車を行う洗車機であって、使用者により選択操作される第１及び第２のスタート釦を備え、第１のスタート釦により領収書を発行して洗車開始を指示する、もしくは、第２のスタート釦により領収書を発行せず洗車開始を指示する構成とした。これにより洗車の操作に無駄がなく、適宜リモートパネルから選択でき、操作ミスの発生率を抑え、使いやすい洗車機を提供することができる。
【００４７】
操作パネル７において、使用者により選択操作される第１及び第２のスタート釦を備え、第１のスタート釦により領収書を発行して洗車開始を指示する、もしくは、第２のスタート釦により領収書を発行せず洗車開始を指示する構成としてもよい。
【図面の簡単な説明】
【００４８】
【図１】本発明に係る洗車機が備えるリモートパネルの一例を示す正面図である。
【図２】リモートパネルの制御装置が備える各種機能を示す機能ブロック図である。
【図３】リモートパネルの設定操作の手順を示すフローチャートである。
【図４】リモートパネルの設定操作の画面を示す図である。
【図５】本発明に係る洗車機が備える押釦型のリモートパネルの一例を示す正面図である。
【図６】洗車機一台の全体構成を示す側面図である。
【符号の説明】
【００４９】
１    洗車機本体
２    レール
３    車輪
７    操作パネル
７Ａ  リモートパネル
７５  カード投入口
８１  表示部
ＣＡ  被洗浄車両
ＷＡ  洗浄器
【図１】
2010132213.tif 000003
【図２】
2010132213.tif 000004
【図３】
2010132213.tif 000005
【図４】
2010132213.tif 000006
【図５】
2010132213.tif 000007
【図６】
2010132213.tif 000008